(57)【要約】【課題】  同じ記録メディアをデータフォーマットの異なる機器で使用可能としながら、該記録メディアの画像データを追加記録，削除の編集を可能とする。【解決手段】  記録メディアには、MPEG動画ファイルを記録するMPEG動画用ディレクトリ400とMPEG静止画ファイルを記録するMPEG静止画用ディレクトリ500とJPEG静止画用ファイルを記録するJPEG静止画用ディレクトリ600とMPEG静止画ファイルとJPEG静止画ファイルとの関連性などを示す管理情報を記録する管理用ファイル300とから構成される画像ファイルシステム100が構築され、同じ静止画像がMPEG静止画ファイルとJPEG静止画ファイルとしてディレクトリ500と600とに記録される。静止画像の追加記録や削除は、ディレクトリ500と600とで同じ静止画情報のMPEG静止画ファイルとJPEG静止画ファイルを追加記録し、また、これらMPEG静止画ファイルとJPEG静止画ファイルを削除するものである。【選択図】        図１
2006115529.tif 000002
【特許請求の範囲】
【請求項１】
少なくとも圧縮処理された静止画情報を記録する記録メディアにおいて、
異なる圧縮形式のフォーマット毎に設定されて該当する圧縮形式のフォーマットの静止画ファイルが記録される複数のディレクトリと、夫々の該ディレクトリに記録される該静止画ファイル間の関連性を示す管理情報からなるファイル情報とを含む画像ファイルシステムが構築されており、
同じ静止画情報が、異なる該圧縮形式のフォーマットの静止画ファイルとして、該当するディレクトリに夫々記録され、該ディレクトリのいずれかからも該静止画情報を再生可能に構成したことを特徴とする記録メディア。
【請求項２】
請求項１記載の記録メディアにおいて、
前記圧縮形式はＭＰＥＧ規格とＪＰＥＧ規格とであって、
前記ディレクトリは、静止画情報が該ＭＰＥＧ規格に準拠して圧縮されて記録される第１のディレクトリと、同じ該静止画情報が該ＪＰＥＧ規格に準拠して圧縮されて記録される第２のディレクトリであることを特徴とする記録メディア。
【請求項３】
請求項１または２記載の記録メディアにおいて、
前記管理情報は、前記静止画ファイルの記録位置を示すポインタ，ファイル名，ファイルサイズ，属性などの情報であることを特徴とする記録メディア。
【請求項４】
請求項１，２または３記載の記録メディアを用いる映像記録装置において、
同一映像源からの静止画情報を複数の前記異なる圧縮形式のフォーマットの静止画ファイルとして、夫々前記記録メディアの該当する前記ディレクトリに記録し、かつ夫々の前記ディレクトリに記録された静止画ファイルを関連付ける前記管理情報を前記ファイル情報に追加することを特徴とする映像記録装置。
【請求項５】
請求項１，２または３記載の記録メディアを用いる映像記録再生装置において、
前記記録メディアでの不要な静止画情報の指定とその削除指令とに応じて、前記管理情報に基づいて、全ての前記ディレクトリから指定された該不要な静止画情報に対応する前記静止画ファイルを全て削除するとともに、削除するこれら静止画ファイルに対する前記管理情報を削除することを特徴とする映像記録再生装置。
【請求項６】
請求項１，２または３記載の記録メディアを用いる映像記録再生装置であって、
前記記録メディアで記録する際の静止画情報の前記圧縮形式のうちの特定の圧縮形式のフォーマットの静止画ファイルを前記記録メディアから取り込み、かつ該特定の圧縮形式の静止画ファイルを発生し、
発生した該特定の圧縮形式の静止画ファイルを前記記録メディアの該当する前記ディレクトリに追加記録し、
かつ発生した該特定の圧縮形式の静止画ファイルを変換して、前記記録メディアで記録する際の静止画情報の前記圧縮形式のうちの該特定の圧縮形式のフォーマットを除く全ての圧縮形式のフォーマットの静止画ファイルを生成し、前記記録メディアの該当する前記ディレクトリに夫々追加記録するとともに、
さらに、前記ディレクトリへの静止画ファイルのかかる追加記録とともに、これら静止画ファイル間の関連を示す管理情報を前記記録メディアに追加記録することを特徴とする映像記録再生装置。
【発明の詳細な説明】
【技術分野】
【０００１】
本発明は、動画情報や静止画情報の記録メディア及びこれを用いる映像記録／再生装置に関する。
【背景技術】
【０００２】
現在一般的に出回ってるデジタルスチルカメラでは、静止画情報の圧縮処理の国際規格であるＪＰＥＧ(Joint Photographic Expert Group)方式に準拠して静止画像を圧縮し、メモリやハードディスクなどのリムーバブルな記憶メディアに記録するようにしている。また、一部の機種においては、動画像のデジタル記録も可能である。動画像データをデジタル記録する際には、国際規格であるＭＰＥＧ(Moving Picture Expert Group)に準拠して動画像データを圧縮してストリームを生成している。
【０００３】
ＭＰＥＧ規格には、蓄積メディア対応のＭＰＥＧ１規格と放送や通信などに対応して高画質化を念頭においたＭＰＥＧ２規格とがあり、現在普及しているビデオカメラやビデオデッキ並みの画質を得るためには、ＭＰＥＧ２規格での圧縮が必要である。但し、ＭＰＥＧ２規格を用いて動画像の圧縮記録を行なう際には、そのデータ量が静止画に比べて膨大になるため、現在普及してるメモリやハードディスクなどでは短時間しか記録できない。
【０００４】
ＪＰＥＧ規格やＭＰＥＧ規格に基づく静止画や動画のストリームを長時間にわたって記録、再生する記録メディアとしては、磁気テープと光ディスクが考えられるが、高速サーチやランダムアクセスなどの使い勝手や耐久性，保存性の良さから、今後、光ディスクが主流になることは確実である。光ディスク上で画像データを読み／書きする代表的なものとしてＤＶＤ(Digital Versatile Disc)−ＲＡＭ（以下、ＤＶＤディスクという）があり、現在、これを用いて映像・音声データを記録することができるようにしたビデオカメラが各社により発表されている。
【発明の開示】
【発明が解決しようとする課題】
【０００５】
記憶メディアとしてかかる光ディスク、即ち、ＤＶＤ−ＲＡＭを用いたデジタルカメラ（以下、ＤＶＤカメラという）では、記憶容量的に静止画情報に加えて動画情報も記録／再生が可能となる。ＤＶＤ−ＲＡＭに動画／静止画混在で記録を行なう場合には、ＤＶＤ−ＲＡＭで動画情報と静止画情報とを区別したディレクトリ構造にするのが、ファイル管理の都合上、望ましい。
【０００６】
これは、記録メディア上に、最上位のディレクトリ（ルートディレクトリ）中に動画記録用ディレクトリ（MPEG_MOVIE_DIR）と静止画記録用ディレクトリ（MPEG_STILL_DIR）とを設けた画像ファイルシステムを記録メディア上に構築するものである。動画情報を記録する場合には、この動画記録用ディレクトリにＭＰＥＧ２規格に準拠して圧縮された動画情報（以下、ＭＰＥＧ動画情報という）よるストリームを記録する。また、静止画情報を記録する場合には、これをＭＰＥＧ２規格に準拠してフレーム内符号化し、これによって生成された静止画情報（以下、ＭＰＥＧ静止画情報という）のストリームを静止画記録用ディレクトリに記録する。
【０００７】
しかし、このように記録された静止画像をパソコンや他のディジタスチルカメラなどで再生することができない。これは、これらの機器では、既に広く普及しているＪＰＥＧ規格に準拠して圧縮されたフォーマットの静止画情報（以下、ＪＰＥＧ静止画情報という）のストリームを取り扱うようにしている場合が多いからである。そこで、ディジタルスチルカメラでＤＶＤディスクに記録されたＪＰＥＧ静止画情報をＪＰＥＧ規格を備えた（即ち、ＪＰＥＧ規格に準拠した符号化回路や復号回路を備えた）パソコンに取り込んで処理することができるが、ＭＰＥＧ規格を備えたＤＶＤカメラでＤＶＤディスクに記録されたＭＰＥＧ静止画情報をパソコンに取り込むことはできない。
【０００８】
ＤＶＤカメラでＤＶＤディスクに記録された静止画情報をＪＰＥＧ規格を備えたパソコンで取り込むことができるようにするためには、このＤＶＤディスクにＪＰＥＧ静止画情報も記録するようにすればよい。これにより、ＤＶＤディスクがＭＰＥＧ規格を備えた機器にも、また、ＪＰＥＧ規格を備えた機器にも使用することができ、その利便性が向上することになる。
【０００９】
しかし、このように、ＤＶＤカメラでＤＶＤディスクに同じ静止画情報とＭＰＥＧ静止画情報とＪＰＥＧ静止画情報として記録した場合、かかる静止画情報をパソコンを用いて編集する際には、この編集の仕方によっては、パソコンで新たな静止画像を作成してこのＤＶＤディスクに追加記録したり、このＤＶＤディスクに記録されている静止画情報での不要なものを削除したりする場合もあるが、このような編集はＪＰＥＧ静止画情報に対してしか行なうことができず、不完全な編集となる。例えば、このように編集したＤＶＤディスクをＭＰＥＧ規格を備えたＤＶＤデッキ（記録再生装置）で再生すると、パソコンで追加記録された静止画情報を再生することができないし、また、不要なものとしてパソコンで削除されたはずの静止画像がＭＰＥＧ静止画情報として残っていて、ＤＶＤデッキでは、再生されてしまうことになる。
【００１０】
本発明の目的は、かかる問題を解消し、異なる圧縮形式をとる機器で使用可能とする利便性を損なうことなく、静止画情報の良好な編集を可能にする記録メディア及びこれを用いる映像記録／再生装置を提供することにある。
【課題を解決するための手段】
【００１１】
上記目的を達成するために、本発明による記録メディアは、異なる圧縮形式のフォーマット毎に設定されて該当する圧縮形式のフォーマットの静止画ファイルが記録される複数のディレクトリと、夫々の該ディレクトリに記録される該静止画ファイル間の関連性を示す管理情報からなるファイル情報とを含む画像ファイルシステムが構築されており、同じ静止画情報が、異なる該圧縮形式のフォーマットの静止画ファイルとして、該当するディレクトリに夫々記録され、該ディレクトリのいずれかからも該静止画情報を再生可能とする構成をなすものである。
【００１２】
かかる構成により、ファイル情報から異なる圧縮形式のフォーマットの静止画ファイル間の関連性を把握することができ、同じ静止画情報に対する静止画ファイルを容易に見つけ出すことができる。
【００１３】
また、本発明による映像記録装置は、同一映像源からの静止画情報を複数の異なる圧縮形式のフォーマットの静止画ファイルとして、夫々上記記録メディアの該当するディレクトリに記録し、かつ夫々のディレクトリに記録された静止画ファイルを関連付ける管理情報を上記ファイル情報に追加する構成とするものであり、また、かかる記録メディアから不要な静止画情報を削除する場合には、上記管理情報に基づいて、全てのディレクトリからこの不要とする静止画情報に対応する静止画ファイルを見つけ出し、これらを全て削除するとともに、削除するこれら静止画ファイルに対する管理情報も削除するものである。
【００１４】
これにより、追加された静止画情報は、全ての圧縮形式について、静止画ファイルとして記録されるし、不要とする静止画情報に対応する静止画ファイルも全て除かれることになる。
【発明の効果】
【００１５】
以上説明したように、本発明によれば、記録メディアを情報フォーマットを異にする複数の異種の機器で使用可能とし、記録メディアの利便性が高まる。
【００１６】
また、本発明によると、記録メディアでの画像情報の追加記録や削除などを伴う編集を、上記利便性を損なうことなく、行なうことがことができる。
【発明を実施するための最良の形態】
【００１７】
以下、本発明の実施形態を図面を用いて説明する。  
図１は本発明による記録メディアの一実施形態に構築されるファイルシステムの構造を示す図であって、１００は画像ファイルシステム、２００はルートディレクトリ、３００は管理用ファイル、４００はＭＰＥＧ動画用ディレクトリ、５００はＭＰＥＧ静止画用ディレクトリ、６００はＪＰＥＧ静止画用ディレクトリである。
【００１８】
以下の説明では、本発明による記録メディアはＤＶＤカメラに用いるＤＶＤ−ＲＡＭとしての光ディスク（ＤＶＤディスク）からなるものとし、動画像と静止画像とを記録可能とするものであるが、記録容量的に動画像と静止画像とを記録可能であれば、ＤＶＤディスクに限るものではない。
【００１９】
この実施形態では、ＤＶＤカメラでＤＶＤディスクに記録された静止画像をパソコンやデジタルスチルカメラで再生できるようにする。ディジタルスチルカメラでは、静止画像がＪＰＥＧ規格に準拠して圧縮されてＤＶＤディスクに記録されるものであり、これを再生してモニタに表示する場合には、ＪＰＥＧ規格に基づいて伸長処理しなければならない。また、パソコンでは、ディジタルスチルカメラでＤＶＤディスクに記録された静止画像を取り込んで再生することができるようにするために、この静止画像の処理にＪＰＥＧ規格が採用されている。
【００２０】
本発明による記録メディアとしてのＤＶＤディスクは、静止画像に対してＪＰＥＧ規格を備えたデジタルスチルカメラやパソコンでも静止画像の再生を可能とするものであり、このために、動画像と静止画像とをＭＰＥＧ規格に準拠して圧縮して記録するとともに、この同じ静止画像をＪＰＥＧ規格に準拠して圧縮して記録するものである。このため、同じ静止画像が異なる圧縮規格のフォーマットで二重に記録されていることになる。これにより、本発明による記録メディアとしてのＤＶＤディスクは、ＭＰＥＧ規格を備えた映像再生装置で動画像や静止画像の再生が可能となるとともに、従来のデジタルスチルカメラやパソコンなどのＪＰＥＧ規格を備えた機器でも、同じ静止画像の再生が可能となる。
【００２１】
そこで、本発明による記録メディアとしてのＤＶＤディスクには、図１に示すディレクトリ構造の画像ファイルシステム１００が構築される。即ち、この画像ファイルシステム１００は、最上位のディレクトリとしてルートディレクトリ２００が設けられ、これに記録された動画像ファイルと静止画ファイルとの関連情報などを含むファイル情報（FILE INFO）が記録される管理用ファイル３００と、ＭＰＥＧ規格（ここでは、ＭＰＥＧ２規格とするが、ＭＰＥＧ１規格でもよい）に準拠して圧縮されたフォーマットの動画情報（ＭＰＥＧ動画情報）をＭＰＥＧ動画ファイルとして収納するＭＰＥＧ動画用ディレクトリ（MPEG_MOVIE_DIR）４００と、ＭＰＥＧ規格（ここでは、動画像と同じＭＰＥＧ規格とするが、異なるＭＰＥＧ規格でもよい）に準拠して圧縮されたフォーマットの静止画情報（ＭＰＥＧ静止画情報）をＭＰＥＧ静止画ファイルとして収納するＭＰＥＧ静止画用ディレクトリ（MPEG_STILL_DIR）５００と、ＭＰＥＧ静止画用ディレクトリ５００に記録された静止画情報と同じものでＪＰＥＧ規格に準拠して圧縮されたフォーマットの静止画情報（ＪＰＥＧ静止画情報）をＪＰＥＧ静止画ファイルとして格納するＪＰＥＧ静止画用ディレクトリ（JPEG_STILL_DIR）６００とが設けられている。
【００２２】
図２は図１におけるＭＰＥＧ動画像用ディレクトリ４００に記録されるＭＰＥＧ動画ファイルの一具体例を示す図である。
【００２３】
同図において、ＭＰＥＧ動画像用ディレクトリ４００には、例えば、ＤＶＤカメラでの１回の撮像で得られる一連の動画情報をＭＰＥＧ規格で圧縮して生成されるデータストリームが１単位のＭＰＥＧ動画ストリームファイル（VOB：Video Object）４０１とし、１以上の単位のＭＰＥＧ動画ストリームファイル４０１が格納される。このＭＰＥＧ動画ストリームファイル４０１は圧縮単位となる１ＧＯＰ（Group Of Picture）を含むビデオストリーム単位（VOBU：VOB Unit）４０２の１個以上から構成されている。また、このビデオストリーム単位４０２は、１フレームまたは１フィールド毎のＭＰＥＧ規格による符号化画像であるＩピクチャ（フレーム内またはフィールド内符号化画像）４０３とＰピクチャ（前方向予測符号化画像）４０４とＢピクチャ（双方向予測符号化画像）４０５とから構成され、これらピクチャがＩ，Ｂ，Ｂ，Ｐ，Ｂ，Ｂ，Ｐ，……の順に配列されてなる。但し、Ｂピクチャは必ずしも必要はない。
【００２４】
ＭＰＥＧ動画用ディレクトリ４００には、動画情報がＭＰＥＧ規格に準拠して圧縮されてこのようなストリームで格納されるが、この場合の記録は１ＧＯＰ、即ち、ビデオストリーム単位４０２を単位として付け足される形式で行なわれる。これは、再生時に連続再生，特殊再生を容易に行なうことができるようにするためである。また、このビデオストリーム単位４０２が付け足されて格納される毎に、この付け足されたビデオストリーム単位４０２の管理情報（後述するように、情報の種類や番組名，ＭＰＥＧ動画ストリームファイル４０１での順位，格納位置などを示す）が付け足されるように、ルートディレクトリ２００内の管理用ファイル３００のファイル情報が書き替えられる。かかる管理情報はＭＰＥＧ動画ファイルの編集や検索などに用いられる。
【００２５】
図３は図１におけるＭＰＥＧ静止画用ディレクトリ５００に記録されるＭＰＥＧ静止画ファイルの一具体例を示す図である。
【００２６】
同図において、ＭＰＥＧ静止画用ディレクトリ５００には、例えば、ＤＶＤカメラで順次得られる静止画情報を夫々毎にＭＰＥＧ規格に準拠して圧縮して生成されるストリーム（ＭＰＥＧ静止画ファイル）が、ＭＰＥＧ静止画ストリームファイル（VOB）５０１として、格納される。ビデオストリーム単位（VOBU）５０２は１つのＭＰＥＧ静止画情報のストリームを含むものであって、これが１つのＭＰＥＧ静止画ファイルをなすものである。ＭＰＥＧ静止画ストリームファイル５０１は、かかるビデオストリーム単位５０２の１個以上から構成されている。ここで、このＭＰＥＧ静止画情報は、ＭＰＥＧ規格に基づくＩピクチャのストリームをなすものである。従って、ＭＰＥＧ静止画ストリームファイル５０１は、Ｉピクチャが配列されたものとなる。
【００２７】
ビデオストリーム単位５０２は、先頭部にビデオストリーム単位５０２の先頭やＭＰＥＧ動画ストリームファイル５０１でのこの１フレームまたは１フィールド毎のＭＰＥＧ規格による符号化画像であるビデオストリーム単位５０２の順番を示す情報などを示すシーケンスヘッダ(Sequence_Header）５０３が付加され、これにＩピクチャの先頭などを示すＧＯＰヘッダ（GOP_Header）５０４，Ｉピクチャのストリーム５０５が続き、最後にシーケンスエンドコード（Sequence_End_Code)５０６が付加された構成をなしている。
【００２８】
ＭＰＥＧ静止画ファイルは、ＭＰＥＧ静止画像用ディレクトリ５００内のＭＰＥＧ静止画ストリームファイル５０１に１フレームまたは１フィールド分のストリームが付け足される形で追加記録される。これにより、Ｉピクチャが連続した配列で記録され、ＭＰＥＧ動画用ディレクトリ４００に記録されるＭＰＥＧ動画ファイルとデータ形式が共通となり、静止画情報の記録／再生用アプリケーション開発が容易となる。また、静止画情報を記録する場合も、動画情報の記録と同様に、ＭＰＥＧ静止画ストリームファイル５０１に付け足されたＭＰＥＧ静止画ファイルも管理されるように、ルートディレクトリ２００内の管理用ファイル３００（図１）のファイル情報が書き換えられる。
【００２９】
図１に示すＪＰＥＧ静止画像用ディレクトリ６００も、ＪＰＥＧ静止画情報のストリームについて、ＭＰＥＧ静止画像用ディレクトリ５００と同様の構成のファイルが設けられ、このファイルでの静止画情報の管理情報を管理用ファイル３００のファイル情報に含ませることになる。また、この管理用ファイル３００に格納されているファイル情報に、ＭＰＥＧ静止画像用ディレクトリ５００に格納されている静止画像とこれと同じでＪＰＥＧ静止画像用ディレクトリ６００に格納されている静止画像とを関連付ける管理情報も含まれている。
【００３０】
図４は図１における画像ファイルシステム１００におけるＭＰＥＧ静止画ファイルとＪＰＥＧ静止画ファイルとを関連付けるファイル情報の具体例を摸式的に示す図であって、３０１はファイル情報、６０２はＪＰＥＧ静止画情報のビデオストリーム単位(VOBU：即ち、ＪＰＥＧ静止画ファイル）であり、図１，図３に対応する部分には同一符号をつけている。なお、ＭＰＥＧ動画用ディレクトリ４００（図１）は省略している。
【００３１】
同図において、ここでは、ＤＶＤディスクに４個の静止画像Ａ，Ｂ，Ｃ，Ｄが記録されているものとする。静止画像ＡはＭＰＥＧ静止画ストリームファイル５００にビデオストリーム単位５０２であるＭＰＥＧ静止画ファイルAAAとして記録されているが、この同じ静止画像Ａがビデオストリーム単位６０２であるＪＰＥＧ静止画ファイルAAA.JPGとしてＪＰＥＧ静止画ストリームファイル６００にも記録されている。そして、管理用ファイル３００には、これらＭＰＥＧ静止画ファイルAAAとＪＰＥＧ静止画ファイルAAA.JPGとが同じ静止画像Ａのものであることを示す管理情報AAA_infoがファイル情報３０１に含まれている。静止画像ＢもＭＰＥＧ静止画ストリームファイル５００にＭＰＥＧ静止画ファイルBBBとして、また、ＪＰＥＧ静止画ストリームファイル６００にＪＰＥＧ静止画ファイルBBB.JPGとして夫々記録されており、管理用ファイル３００には、これらＭＰＥＧ静止画ファイルBBBとＪＰＥＧ静止画ファイルBBB.JPGとが同じ静止画像Ｂのものであることを示す管理情報BBB_infoがファイル情報３０１に含まれている。以下同様にして、静止画像Ｃ，Ｄについても、ＭＰＥＧ静止画ストリームファイル５００にＭＰＥＧ静止画ファイルCCC，DDDとして、また、ＪＰＥＧ静止画ストリームファイル６００にＪＰＥＧ静止画ファイルCCC.JPG，DDD.JPGとして夫々記録されており、管理用ファイル３００には、これらＭＰＥＧ静止画像CCC，DDDとＪＰＥＧ静止画像CCC.JPG，DDD.JPGとが同じ静止画像Ｃ，Ｄのものであることを示す管理情報CCC_info，DDD_infoがファイル情報３０１に含まれている。
【００３２】
なお、ＭＰＥＧ静止画ファイルはＭＰＥＧ動画ファイルと共通のストリーム構造をとるため、ＭＰＥＧ静止画用ディレクトリ５００中の一連のＭＰＥＧ静止画ファイルのストリームは、必要があれば、これに新たにＭＰＥＧ静止画ファイルのストリームを追加することができる形式としている。これに対し、ＪＰＥＧ静止画用ディレクトリ６００でのＪＰＥＧ静止画ファイルのストリームは、静止画像毎に個別に独立したファイル形式となっている。
【００３３】
図５は図４での管理用ファイル３００におけるファイル情報３０１の一具体例を示す図であって、図４に対応する部分には同一符号をつけている。
【００３４】
同図において、管理用ファイル３００におけるファイル情報３０１は、ここでは、静止画フアイルに対するもののみを示しており、また、図４と同様、静止画像Ａ，Ｂ，Ｃ，Ｄについてのものとする。
【００３５】
このファイル情報３０１は、これら静止画像Ａ，Ｂ，Ｃ，Ｄ毎にＪＰＥＧ静止画ファイルとＭＰＥＧ静止画ファイルとの関連などを示す管理情報AAA_info，BBB_info，CCC_info，DDD_infoを含むものであって、かかる管理情報の内容としては、例えば、管理情報AAA_infoを例として図示するように、ＭＰＥＧ静止画ファイルAAAがＤＶＤディスク上のどの位置にあるかを示すポインタであるＭＰＥＧファイルポインタやＪＰＥＧ静止画ファイルAAA.JPGがＤＶＤディスク上のどの位置にあるかを示すポインタであるＪＰＥＧファイルポインタ、ＪＰＥＧ静止画ファイルの内容を判断できるようにするためのＪＰＥＧファイル名（デジタルスチルカメラなどでＪＰＥＧ静止画ファイルを生成した場合、そのファイル名は機械的にアルファベットや数字が順に並んだものになってしまう。これをパソコンなどで見た場合に、その静止画ファイルが何であるかを示せるような個別の名前を付けておくと、後で便利である）、さらには、ＪＰＥＧファイル名と同様にパソコンなどで閲覧するときに必要とするＪＰＥＧファイルサイズやＪＰＥＧファイル属性，ＪＰＥＧファイルタイムスタンプなどが含まれる。また、これら以外にも、ＪＰＥＧ静止画ファイルに関連する情報を管理用ファイル３００に記憶しておき、ＪＰＥＧ静止画ファイルの操作と同時に追加，削除を行なって、ＤＶＤディスク上でのファイル管理をやり易くできる。
【００３６】
図６はＤＶＤカメラとしての本発明による映像記録再生装置の第１の実施形態の要部を示すブロック図であって、１はＤＶＤカメラ、２は映像源、３は符号化回路、３ａはＭＰＥＧ符号化回路、３ｂはＪＰＥＧ符号化回路、４はＤＶＤディスクであり、前出図面に対応する部分には同一符号をつけて説明を省略する。
【００３７】
同図において、ＤＶＤカメラ１には、ＭＰＥＧ符号化回路３ａとＪＰＥＧ符号化回路３ｂとからなる符号化回路３が設けられている。
【００３８】
ＤＶＤディスク４が装着された状態で、撮像部や映像情報を入力する外部端子などの映像源２から静止画情報が得られると、この静止画情報は符号化回路３に供給され、そのＭＰＥＧ符号化回路３ａで符号化処理されてＭＰＥＧ静止画情報が、また、ＪＰＥＧ符号化回路３ｂで符号化されてＪＰＥＧ静止画情報が夫々得られる。これら符号化された静止画情報はＤＶＤカメラ１に装着されているＤＶＤ４に記録されるのであるが、この場合、ＤＶＤ４には、図１〜図３で説明した画像ファイルシステム１００が構築されており、同じ静止画情報を符号化して得られるＭＰＥＧ静止画情報とＪＰＥＧ静止画情報が夫々、ＭＰＥＧ静止画ファイル，ＪＰＥＧ静止画ファイルとして、この画像ファイルシステム１００でのＭＰＥＧ静止画用ディレクトリ５００，ＪＰＥＧ静止画用ディレクトリ６００に追加記録される。そして、これとともに、図４で説明したように、これらきろくされるＭＰＥＧ静止画ファイルとＪＰＥＧ静止画ファイルとが同じ静止画情報の符号化画像情報であることを示す管理情報が管理用ファイル３００のファイル情報に追加される。
【００３９】
以下同様にして、映像源２から静止画情報が得られる毎に、これからＭＰＥＧ静止画ファイルとＪＰＥＧ静止画ファイルとが生成されて、ＤＶＤディスク４の画像ファイルシステム１００に追加記録される。
【００４０】
なお、映像源２から動画情報が得られる場合には、これは図示しない動画専用のＭＰＥＧ符号化回路で符号化され、ＤＶＤディスク４の画像ファイルシステム１００の図示しないＭＰＥＧ動画用ディレクトリ４００（図１）に記録され、また、その管理情報が管理用ファイル３００のファイル情報に追加される。なお、ＭＰＥＧ符号化回路３ａを動画情報，静止画情報の符号化に共用するようにしてもよい。
【００４１】
このようにして、ＤＶＤディスク４には、同じ静止画情報が、ＭＰＥＧ静止画ファイルとしてとともに、ＪＰＥＧ静止画ファイルとしても記録されるので、管理用ファイル３００のファイル情報に基づいてＭＰＥＧ静止画ファイルとＪＰＥＧ静止画ファイルとのいずれかを読み取ることができ、ＭＰＥＧ規格を備えたＤＶＤデッキ（ＤＶＤディスクを使用できる記録再生装置）では勿論のこと、ＪＰＥＧ規格を備えたパソコンやデジタルスチルカメラなどの機器でも、静止画情報の再生が可能となる。
【００４２】
なお、この第１の実施形態をＤＶＤカメラとしたが、ＤＶＤデッキであってもよい。かかるＤＶＤデッキでは、図６に示す構成と同様に、ＭＰＥＧ規格に準拠した符号化回路や復号回路を備え、さらに、静止画情報のためのＪＰＥＧ規格に準拠した符号化回路を備えている。入力されるテレビジョン放送番組などの動画情報をＭＰＥＧ動画ファイルとして記録したり、この動画情報の所望の１フィールドまたは１フレームを抽出し、ＭＰＥＧ静止画ファイル，ＪＰＥＧ静止画ファイルとして記録したりすることができるし、また、ＭＰＥＧ動画ファイルやＭＰＥＧ静止画ファイルを再生することができる。
【００４３】
図７はパソコンとしての本発明による映像記録装置の第２の実施形態の要部構成を示すブロック図であって、５はパソコン、６は符号変換回路、７はＪＰＥＧ復号回路、８はＭＰＥＧ符号化回路であり、前出図面に対応する部分には同一符号をつけて重複する説明を省略する。なお、この実施形態では、映像記録装置をパソコンとするが、デジタルスチルカメラなどのＪＰＥＧ規格を備えた機器であってもよい。
【００４４】
同図において、パソコン５は、従来のパソコンと同様に、そこで生成された静止画情報を符号化してＪＰＥＧ静止画情報を形成するＪＰＥＧ符号化手段（図示せず）が設けられ、これを出力することができるとともに、ＪＰＥＧ復号回路７とＭＰＥＧ符号化回路８とからなる符号変換回路６が設けられており、得られたＪＰＥＧ静止画情報をＪＰＥＧ復号回路７で復号してもとの静止画情報にし、次いでＭＰＥＧ符号化回路８で符号化してＭＰＥＧ静止画情報を得ることができるように構成されている。
【００４５】
ＤＶＤディスク４が装着された状態で、従来のパソコンと同様にして、ＪＰＥＧ静止画情報を作成すると、これを符号変換回路６でＭＰＥＧ静止画情報に変換する。そして、同じ静止画情報から得られたこれらＪＰＥＧ静止画情報とＭＰＥＧ静止画情報とを夫々ＤＶＤ４に、図６に示した第１の実施形態と同様にして、ＪＰＥＧ静止画ファイルとＭＰＥＧ静止画ファイルとして追加記録することができる。
【００４６】
なお、ここでは、符号変換回路６を用いてＪＰＥＧ静止画情報からＭＰＥＧ静止画情報を得るようにしたが、本来有するＪＰＥＧ符号化回路に加えてＭＰＥＧ符号化回路を設け、作成された静止画情報を、従来のパソコンと同様、ＪＰＥＧ符号化回路で符号化してＪＰＥＧ静止画情報を得るとともに、ＭＰＥＧ符号化回路で符号化してＭＰＥＧ静止画情報を得るようにしてもよい。
【００４７】
この実施形態によると、図６に示したようにＤＶＤカメラで静止画情報が記録されたＤＶＤディスク４において、新たに静止画情報を追加記録することができる。
【００４８】
図８はＤＶＤディスク４でのかかる静止画情報の追記記録の方法を示す図であって、図１，図４，図７に対応する部分には同一符号をつけている。
【００４９】
同図において、図６に示すＤＶＤカメラで静止画像Ａ〜Ｄが記録されたＤＶＤディスク４にパソコン５で静止画像Ｅを追記するものとすると、このＤＶＤディスク４が装着されたパソコン５では、この静止画像ＥのＪＰＥＧ静止画情報が形成されると、これが、ＤＶＤディスク４での画像ファイルシステム１００のＪＰＥＧ静止画用ディレクトリ６００に、ＪＰＥＧ画像ファイルEEE.JPGとして追加記録されるが、これとともに、このＪＰＥＧ静止画情報がＪＰＥＧ復号回路７とＭＰＥＧ符号化回路８とでＭＰＥＧ静止画情報に変換され、画像ファイルシステム１００のＭＰＥＧ静止画用ディレクトリ５００でのＭＰＥＧ静止画ストリームファイル５０１に、ＭＰＥＧ静止画ファイルEEEとし、その最後のビットストリ
ーム単位５０２としてのＭＰＥＧ静止画ファイルDDDに連続するようにして、追加記録される。
【００５０】
そして、これとともに、ＪＰＥＧ静止画ファイルEEE.JPGとＭＰＥＧ静止画ファイルEEEとを関連付ける管理情報EEE_infoが管理用ファイル３００に追加されて、ファイル情報の書き替えが行なわれる。
【００５１】
ところで、ＤＶＤディスクを用いる従来のパソコンでは、ＤＶＤディスクに記録されている静止画ファイルの編集に際して、不要な静止画ファイルを削除することができる。しかし、図６で示した本発明による映像記録装置としてのＤＶＤカメラによると、ＤＶＤディスク４に静止画情報がＭＰＥＧ静止画ファイルとして記録されるとともに、パソコンなどのＪＰＥＧ規格を備えた機器でこの静止画情報を再生可能とするために、この同じ静止画情報がＪＰＥＧ静止画ファイルとしても記録されることになるが、このＤＶＤディスク４での静止画ファイルの編集を従来のＪＰＥＧ規格を備えたパソコンで行なう場合、不要な静止画ファイルを削除しても、この削除はパソコンが備えたＪＰＥＧ規格に準拠して圧縮された静止画ファイル、即ち、ＪＰＥＧ静止画ファイルのみであって、このＪＰＥＧ静止画ファイルに対応するＭＰＥＧ静止画ファイルがそのまま残っていることになり、編集が不完全なものとなる。
【００５２】
図７に示した映像記録装置は、かかる編集も可能としたものであって、図９により、かかるＤＶＤディスク４に記録されている静止画情報の削除について説明する。なお、図９においては、前出図面に対応する部分には同一符号をつけており、ここでも、映像記録装置をパソコンとして説明する。
【００５３】
図９において、いま、ＤＶＤディスク４の画像ファイルシステム１００に静止画像Ａ〜Ｄのファイルが記録されているものとする。従って、管理用ファイル３００のファイル情報３０１には、これらファイルの管理情報が含まれている。
【００５４】
かかる記録状態のＤＶＤディスク４を図７に示した構成のパソコン５に装着し、記録された静止画ファイルの編集を行なっているとき、静止画像Ｃを不要なものとして削除したい場合には、パソコンでこの静止画像Ｃのファイル名を指定して削除のための操作をする。この操作に伴って、パソコン５は、ＤＶＤディスク４の画像ファイルシステム１００における管理用ファイル３００からファイル情報３０１に含まれる静止画像Ｃの管理情報７００ｃ（図４，図５での管理情報CCC_info）を読み取り、この管理情報７００ｃに基づいて、ＭＰＥＧ静止画用ディレクトリ５００からビットストリーム単位５０２ｃとして格納されているＭＰＥＧ静止画ファイルCCCCを、ＪＰＥＧ静止画用ディレクトリ６００からビットストリーム単位６０２ｃとして格納されているＪＰＥＧ静止画ファイルCCC_JPG を夫々削除する。この管理情報７００ｃもファイル情報３０１から削除する。
【００５５】
このようにして、不要となった静止画像を、そのＭＰＥＧ静止画ファイル，ＪＰＥＧ静止画ファイルともに、削除することができる。従って、図８で説明した静止画像の追加記録と相まって、図７に示した実施形態では、静止画情報の追加記録，削除を伴う編集を行なうことができ、その編集結果も、従来のものも含めてパソコンやデジタルスチルカメラなどのＪＰＥＧ規格に準拠した復号処理を行なう手段を備えた機器や、従来のものも含めてＤＶＤカメラやＤＶＤデッキなどのＭＰＥＧ規格に準拠した復号処理を行なう手段を備えた機器で再生することができる。
【００５６】
図１０はパソコンとしての本発明による映像記録装置の第３の実施形態の要部構成を示すブロック図であって、９はＪＰＥＧ復号回路、１０は外部装置、１１はＭＰＥＧ符号化回路であり、前出図面に対応する部分には同一符号をつけて重複する説明を省略する。なお、この実施形態もパソコンとするが、デジタルスチルカメラなどの静止画像をＪＰＥＧ規格に準拠して符号化，復号する機器であってもよい。
【００５７】
同図において、パソコン５は、ＪＰＥＧ復号回路９を内蔵するとともに、ＭＰＥＧ符号化回路１１を内蔵した外部装置１０を接続可能としている。
【００５８】
かかる外部装置１０を接続した状態において、従来のパソコンと同様に生成されたＪＰＥＧ静止画情報は、装着されたＤＶＤディスク４の画像ファイルシステム１００のＪＰＥＧ静止画用ディレクトリ６００に追加記録されるとともに、ＪＰＥＧ復号回路９で一旦もとの静止画情報に復号された後、外部装置１０に供給されてＭＰＥＧ符号化回路１１で符号化され、ＭＰＥＧ静止画情報としてパソコン５に取り込まれ、ＤＶＤディスク４の画像ファイルシステム１００のＭＰＥＧ静止画用ディレクトリ５００に追加記録される。この場合も、図８で説明したのと同様に、追加記録されるＪＰＥＧ画像情報とＭＰＥＧ静止画像とを関連付ける管理情報が管理用ファイル３００に追加されてファイル情報の書き替えが行われる。
【００５９】
なお、ここでは、外部装置１０を用いてＪＰＥＧ静止画情報の復号静止画情報からＭＰＥＧ静止画情報を得るようにしたが、従来のパソコンと同様に、ＪＰＥＧ符号化回路を有するが、さらに、ＭＰＥＧ符号化回路を内蔵した外部装置を接続可能とし、作成された静止画情報をこのＪＰＥＧ符号化回路で符号化してＪＰＥＧ静止画情報を得るとともに、この外部装置のＭＰＥＧ符号化回路で符号化してＭＰＥＧ静止画情報を得るようにしてもよい。
【００６０】
また、図７，図１０に示す実施形態においても、記録するＪＰＥＧ静止画情報とＭＰＥＧ静止画情報との関連性などを示す管理情報が管理用ファイル３００のファイル情報に追加される。
【００６１】
さらに、図１０に示す実施形態においても、図７〜図９で説明した実施形態と同様の静止画像の追加記録や削除を伴う編集が可能に構成されている。
【００６２】
図１１は本発明による映像記録装置と記録メディアとの関連を示す図である。
【００６３】
同図において、例えば、ＤＶＤディスクである本発明による記録メディア４は、さきに説明した画像ファイルシステム１００が構築されて、ＭＰＥＧ動画ファイルやＭＰＥＧ静止画ファイル，ＪＰＥＧ静止画ファイルを格納可能としており、本発明による映像記録再生装置で使用することができる。
【００６４】
その使用形態の一例としては、ＤＶＤカメラ１やＤＶＤデッキ１２で動画情報や静止画情報をＤＶＤディスク４に記録し、パソコン５でこのＤＶＤディスク４に記録された静止画ファイルの再生，編集を行なうものである。勿論、パソコン５では、編集した結果をそれ自身再生することができる。
【００６５】
なお、以上の実施形態では、圧縮形式としてＭＰＥＧ規格とＪＰＥＧ規格とを例にして説明したが、勿論これらのみに限るものではなく、他の圧縮形式であってもよく、複数の圧縮形式を対象とするものに本発明は適用可能である。
【図面の簡単な説明】
【００６６】
【図１】本発明による記録メディアの一実施形態に構築される画像ファイルシステムの構造を示す図である。
【図２】図１におけるＭＰＥＧ動画像用ディレクトリに記録されるＭＰＥＧ動画ファイルの一具体例を示す図である。
【図３】図１におけるＭＰＥＧ静止画用ディレクトリに記録されるＭＰＥＧ静止画ファイルの一具体例を示す図である。
【図４】図１に示す画像ファイルシステムにおけるＭＰＥＧ静止画ファイルとＪＰＥＧ静止画ファイルとを関連付けるファイル情報の具体例を摸式的に示す図である。
【図５】図４での管理用ファイルにおけるファイル情報の一具体例を示す図である。
【図６】ＤＶＤカメラとしての本発明による映像記録再生装置の第１の実施形態の要部を示すブロック図である。
【図７】パソコンとしての本発明による映像記録装置の第２の実施形態の要部構成を示すブロック図である。
【図８】ＤＶＤディスクでの静止画情報の追記記録の方法を示す図である。
【図９】ＤＶＤディスクでの静止画情報の削除の方法を示す図である。
【図１０】パソコンとしての本発明による映像記録装置の第３の実施形態の要部構成を示すブロック図である。
【図１１】本発明による映像記録装置と記録メディアとの関連を示す図である。
【符号の説明】
【００６７】
１  ＤＶＤカメラ
２  映像源
３  符号化回路
３ａ  ＭＰＥＧ符号化回路
３ｂ  ＪＰＥＧ符号化回路
４  ＤＶＤディスク
５  パソコン
６  符号変換回路
７  ＪＰＥＧ復号回路
８  ＭＰＥＧ符号化回路
９  ＪＰＥＧ復号回路
１０  外部装置
１１  ＭＰＥＧ符号化回路
１００  画像ファイルシステム
２００  ルートディレクトリ
３００  管理用ファイル
３０１  ファイル情報
４００  ＭＰＥＧ動画用ディレクトリ
４０１  ＭＰＥＧ動画ストリームファイル
４０２  ビデオストリーム単位
４０３  Ｉピクチャ（フレームまたはフィールド内符号化画像）
４０４  Ｐピクチャ（前方向予測符号化画像）
４０５  Ｂピクチャ（双方向予測符号化画像）
５００  ＭＰＥＧ静止画用ディレクトリ
５０１  ＭＰＥＧ静止画ストリームファイル
５０２  ビデオストリーム単位
５０２ｃ  削除したビデオストリーム単位
５０３  シーケンスヘッダ
５０４  ＧＯＰヘッダ
５０５  ストリーム
５０６  シーケンスエンドコード
６００  ＪＰＥＧ静止画用ディレクトリ
６０２  ビデオストリーム単位
６０２ｃ  削除したビデオストリーム単位
７００  削除した管理情報
【図１】
2006115529.tif 000003
【図２】
2006115529.tif 000004
【図３】
2006115529.tif 000005
【図４】
2006115529.tif 000006
【図５】
2006115529.tif 000007
【図６】
2006115529.tif 000008
【図７】
2006115529.tif 000009
【図８】
2006115529.tif 000010
【図９】
2006115529.tif 000011
【図１０】
2006115529.tif 000012
【図１１】
2006115529.tif 000013
【手続補正書】
【提出日】平成17年12月13日(2005.12.13)
【手続補正１】
【補正対象書類名】特許請求の範囲
【補正対象項目名】全文
【補正方法】変更
【補正の内容】
【特許請求の範囲】
【請求項１】
第１および第２の圧縮形式で符号化された第１および第２の画像情報が記録された記録メディアから画像情報を削除する削除手段を備え、該第１の画像情報が削除されたとき該第２の画像情報も削除されることを特徴とする記録再生装置。
【請求項２】
第１および第２の圧縮形式で符号化された第１および第２の画像情報ならびに該第１および第２の画像情報を関連付ける管理情報が記録されている記録メディアに画像情報および管理情報を記録再生する記録再生手段と、
該記録再生手段により、該記録メディアに記録されている該第１の画像情報を削除する削除手段と、
該削除手段により、該第１の画像情報が削除された場合、該管理情報に基づいて、該第１の画像情報に対応する該第２の画像情報を削除し、かつ該管理情報を削除するように制御する制御手段と、
を備えることを特徴とする記録再生装置。
【請求項３】
請求項１または２において、
該第１の画像情報は該記録メディアの第１のディレクトリに記録され、該第２の画像情報は該記録メディアの第２のディレクトリに記録されること、
を特徴とする記録再生装置。
【請求項４】
請求項３において、
該第１のディレクトリには複数の該第１の画像情報が１つのファイルとして記録され、該第２のディレクトリには複数の該第２の画像情報がそれぞれ独立したファイルとして記録されていること、
を特徴とする記録再生装置。
【請求項５】
請求項４において、
該第１の画像情報が削除されると、該第１のディレクトリに記録されている１つのファイルから該第１の画像情報が差し引かれる形で削除され、
該第２の画像情報が削除されると、該第２のディレクトリに記録されている独立した該第２の画像情報のファイルが削除されること、
を特徴とする記録再生装置。
【請求項６】
請求項１ないし５のいずれかにおいて、
該第１の圧縮形式はＭＰＥＧ規格であり、該第２の圧縮形式はＪＰＥＧ規格であること
を特徴とする記録再生装置。